(57)【要約】【課題】表表紙又は裏表紙を反対側に折り返し、リングを回転させた場合でも、リーフの撓みを抑制することができるファイルを提供する。【解決手段】ファイルは、表表紙及び裏表紙に連なる背表紙と、該背表紙の長手方向に延びた長辺部を有し、前記背表紙に取り付けられるベース板と、前記長辺部に取り付けられ、前記長辺部に沿って延びる枢軸と、該枢軸に回転可能に連結した回転部と、前記枢軸の径方向にて前記回転部から離れた位置に配されており、前記枢軸に平行な軸方向を有するリングと、前記枢軸の径方向に延びており、前記リング及び回転部を連結する連結体とを備え、前記枢軸と、前記リング及び連結体の連結箇所との間の第一寸法は、前記枢軸を通る前記背表紙に対する垂線及び前記背表紙の交点と、前記背表紙の縁部との間の第二寸法よりも長い。【選択図】図５
2020023134.tif 000002
【特許請求の範囲】
【請求項１】
表表紙及び裏表紙に連なる背表紙と、
該背表紙の長手方向に延びた長辺部を有し、前記背表紙に取り付けられるベース板と、
前記長辺部に取り付けられ、前記長辺部に沿って延びる枢軸と、
該枢軸に回転可能に連結した回転部と、
前記枢軸の径方向にて前記回転部から離れた位置に配されており、前記枢軸に平行な軸方向を有するリングと、
前記枢軸の径方向に延びており、前記リング及び回転部を連結する連結体と
を備え、
前記枢軸と、前記リング及び連結体の連結箇所との間の第一寸法は、前記枢軸を通る前記背表紙に対する垂線及び前記背表紙の交点と、前記背表紙の縁部との間の第二寸法よりも長い
ファイル。
【請求項２】
前記リングにおいて、前記連結体よりもベース板側に位置する部分の径方向の幅は、前記連結体よりも前記ベース板の反対側に位置する部分の幅よりも短い
請求項１に記載のファイル。
【発明の詳細な説明】
【技術分野】
【０００１】
本技術は、リーフ、例えば紙を綴じるファイルに関する。
【背景技術】
【０００２】
従来、ファイルの背表紙の中心に枢軸を配置させて、枢軸にリーフを綴じるリングを回転可能に取り付けたファイルが提案されている。リングが枢軸回りに回転するので、ファイルの表表紙又は裏表紙を反対側に折り返した場合に、リーフも円滑に回転させることができる（例えば特許文献１参照）。
【先行技術文献】
【特許文献】
【０００３】
【特許文献１】特許第５４２５１５４号公報
【発明の概要】
【発明が解決しようとする課題】
【０００４】
しかし、表表紙又は裏表紙を反対側に折り返し、リングを回転させた場合、リングは背表紙に接触し、背表紙を超えて表表紙又は裏表紙を超えて、回転することができない。そのため、多数のリーフをリングに綴じている場合、リーフのリング側部分が引っ張られ、撓む。
【０００５】
本開示は斯かる事情に鑑みてなされたものであり、表表紙又は裏表紙を反対側に折り返し、リングを回転させた場合でも、リーフの撓みを抑制することができるファイルを提供することを目的とする。
【課題を解決するための手段】
【０００６】
本開示に係るファイルは、表表紙及び裏表紙に連なる背表紙と、該背表紙の長手方向に延びた長辺部を有し、前記背表紙に取り付けられるベース板と、前記長辺部に取り付けられ、前記長辺部に沿って延びる枢軸と、該枢軸に回転可能に連結した回転部と、前記枢軸の径方向にて前記回転部から離れた位置に配されており、前記枢軸に平行な軸方向を有するリングと、前記枢軸の径方向に延びており、前記リング及び回転部を連結する連結体とを備え、前記枢軸と、前記リング及び連結体の連結箇所との間の第一寸法は、前記枢軸を通る前記背表紙に対する垂線及び前記背表紙の交点と、前記背表紙の縁部との間の第二寸法よりも長い。
【０００７】
本開示においては、前記第一寸法を前記第二寸法よりも長くすることによって、表表紙又は裏表紙を反対側に折り返し、リングを回転させた場合、リングは背表紙を超える。
【０００８】
本開示に係るファイルは、前記リングにおいて、前記連結体よりもベース板側に位置する部分の径方向の幅は、前記連結体よりも前記ベース板の反対側に位置する部分の幅よりも短い。
【０００９】
本開示においては、連結体を基準にした場合、リングはベース板の反対側に突出する。表表紙又は裏表紙を反対側に折り返し、リングをベース板の反対側に回転させた場合、リングの突出した部分が表表紙又は裏表紙に接近し、リングに綴じられたリーフは更にリングに引っ張られにくくなる。
【発明の効果】
【００１０】
本開示に係るファイルにあっては、前記第一寸法を前記第二寸法よりも長くすることによって、表表紙又は裏表紙を反対側に折り返し、リングを回転させた場合、リングは背表紙を超える。そのため、リングに綴じられたリーフはリングに引っ張られにくくなり、リーフの撓みを抑制することができる。
【図面の簡単な説明】
【００１１】
【図１】実施の形態１に係る展開したファイルを略示する斜視図である。
【図２】展開したファイルを略示する平面図である。
【図３】綴じ具を略示する分解平面図である。
【図４】綴じ具を略示する分解前面図である。
【図５】綴じ具を綴じたファイルの略示部分拡大断面図である。
【図６】表表紙及び裏表紙を反対側に折り返し、リングをベース板の反対側に回転させたファイルを略示する部分拡大断面図である。
【図７】実施の形態２に係る綴じ具を綴じたファイルの略示部分拡大断面図である。
【図８】図７に示す８Ａ−８Ａ′線及び８Ｂ−８Ｂ′線を切断線とした略示断面図である。
【図９】実施の形態３に係る綴じ具を綴じたファイルの略示部分拡大断面図である。
【図１０】実施の形態４に係る綴じ具を綴じたファイルの略示部分拡大断面図である。
【発明を実施するための形態】
【００１２】
（実施の形態１）
以下本発明を実施の形態１に係るファイル１を示す図面に基づいて説明する。以下の説明では、図に示す上下前後左右を使用する。図１は、展開したファイル１を略示する斜視図、図２は、展開したファイル１を略示する平面図である。なお図２は、リング３０が右側に回転した状態を示す。
【００１３】
ファイル１は、表表紙３、裏表紙４及び背表紙２を備える。背表紙２は細長い矩形帯状をなし、前後方向に延びる。背表紙２は、前後に延びた右縁部及び左縁部を有し、左縁部に表表紙３が連なる。表表紙３は矩形状をなし、前後に延びる。表表紙３は、前後に延びた右縁部及び左縁部を有する。表表紙３の右縁部は背表紙２の左縁部に連なる。背表紙２の右縁部に裏表紙４が連なる。裏表紙４は、前後に延びた右縁部及び左縁部を有する。裏表紙４の左縁部は背表紙２の右縁部に連なる。表表紙３、背表紙２及び裏表紙４の前縁部は面一をなし、表表紙３、背表紙２及び裏表紙４の後縁部は面一をなす。
【００１４】
表表紙３の右部分に、上下に貫通した二つの貫通孔３ａが形成されている。二つの貫通孔３ａは前後方向に並ぶ。貫通孔３ａは左右に延びた長孔である。二つの貫通孔３ａの前後位置は、後述するリングの前後位置に対応する。裏表紙４の左部分にも、表表紙３と同様に二つの貫通孔４ａが形成されている。背表紙２の上面にリーフを綴じる綴じ具５が取り付けられている。
【００１５】
図３は、綴じ具５を略示する分解平面図、図４は、綴じ具５を略示する分解前面図である。綴じ具５は矩形のベース板６を備える。ベース板６は前後方向に延びた二つの長辺部を有する。ベース板６の一面及び他面は上下に配置され、ベース板６の下面が背表紙２の上面に固定されている。ベース板６の二つの長辺部は、右辺部及び左辺部を構成する。ベース板６の右辺部は背表紙２の右縁部２ａ（図５参照）に近接している。ベース板６の右辺部に、四つの保持部７が前後方向に並んでいる。保持部７は前後方向を軸方向とした筒状をなす。保持部７には、前後方向に延びるスリット（図示略）が形成されている。四つの保持部７は、前後方向を軸方向とした枢軸８を保持している。枢軸８の前後方向中央部の外側に、ばね９が設けられている。
【００１６】
綴じ具５は第一半リング体１０を備える。第一半リング体１０は、前後方向に延びる第一半円柱部１１を有する。第一半円柱部１１は枢軸８の上方に配されており、枢軸８から離れている。第一半円柱部１１の右側面は円弧状に形成され、左側面は平坦に形成されている。第一半円柱部１１には、二つの第一半リング１２が設けられている。二つの第一半リング１２は前後に離れている。第一半リング１２の軸方向は枢軸８の軸方向と同じ向きである。第一半リング１２は第一半円柱部１１の右側面から、右側に突出した円弧を描くようにして、上方に突出している。即ち、第一半円柱部１１は第一半リング１２の下端部に対応する。第一半リング１２の上端部には、前方に向けて窪んだ凹部１２ａが形成されている。
【００１７】
第一半リング体１０は、第一半リング１２を支持するための、間隔を空けて前後に並んだ四つの第一支持部１３を有する。第一支持部１３は筒状をなし、枢軸８の外側に回転可能に嵌合する。四つの第一支持部１３と、第一半円柱部１１とは、第一連結体１４によって連結されている。第一連結体１４は細長い矩形の板状をなす。第一連結体１４の長辺は前後方向に延び、第一連結体１４の短辺は枢軸８の径方向に延びる。第一連結体１４の上側の長辺全体は第一半円柱部１１の下部全体に連なる。前述したように、第一半円柱部１１は第一半リング１２の下端部に対応する。即ち、第一半リング１２及び第一支持部１３とは、枢軸８の径方向に延びる第一連結体１４によって連結されている。
【００１８】
綴じ具５は第二半リング体２０を備える。第二半リング体２０は、前後方向に延びる第二半円柱部２１を有する。第二半円柱部２１は枢軸８の上方に配されており、枢軸８から離れている。第二半円柱部２１の左側面は円弧状に形成され、右側面は平坦に形成されている。第二半円柱部２１の位置は第一半円柱部１１の位置に対応し、綴じ具５を綴じた場合、第二半円柱部２１の右側面は、第一半円柱部１１の左側面に対向する。第二半円柱部２１の平坦な右側面の寸法は、第一半円柱部１１の平坦な左側面の寸法と略同じである。
【００１９】
第二半円柱部２１には、二つの第二半リング２２が設けられている。二つの第二半リング２２は前後に離れており、二つの第一半リング１２に対応した位置にそれぞれ配されている。第二半リング２２の軸方向は枢軸８の軸方向と同じ向きである。第二半リング２２は第二半円柱部２１の左側面から、左側に突出した円弧を描くようにして、上方に突出している。即ち、第二半円柱部２１は第二半リング２２の下端部に対応する。第二半リング２２の上端部には、前方に向けて突出した凸部２２ａが形成されている。凸部２２ａは前記凹部１２ａに対応する。
【００２０】
第二半リング体２０は、第二半リング２２を支持するための、間隔を空けて前後に並んだ四つの第二支持部２３を有する。第二支持部２３は筒状をなし、枢軸８の外側に回転可能に嵌合する。四つの第二支持部２３と、第二半円柱部２１とは、第二連結体２４によって連結されている。第二連結体２４は細長い矩形の板状をなす。第二連結体２４の長辺は前後方向に延び、第二連結体２４の短辺は枢軸８の径方向に延びる。第二連結体２４の上側の長辺全体は第二半円柱部２１の下部全体に連なる。前述したように、第二半円柱部２１は第二半リング２２の下端部に対応する。即ち、第二半リング２２及び第二支持部２３とは、枢軸８の径方向に延びる第二連結体２４によって連結されている。第二連結体２４の位置は第一連結体１４の位置に対応する。第二半円柱部２１及び第二連結体２４の右側面は、第一半円柱部１１及び第一連結体１４の左側面に対応した形状をなし、綴じ具５を綴じた場合に、各右側面と各左側面とが対向し、面一に配置されるように構成されている。
【００２１】
図３に示すように、第一支持部１３、保持部７及び第二支持部２３は、枢軸８に交互に配置されている。また、後から二番目の第一支持部１３と、前から二番目の第二支持部２３との間にばね９が配置されている。ばね９は、第一支持部１３及び第二支持部２３を軸方向外向きに付勢している。即ち、第一半リング体１０は後方に付勢され、第二半リング体２０は前方に付勢される。ユーザは、ばね９の付勢力に抗して、第一半リング体１０を前方に移動させ、第二半リング体２０を後方に移動させて、第一半リング１２と第二半リング２２とを接近させ、凸部２２ａを凹部１２ａに挿入することによって、綴じ具５を綴じることができる。
【００２２】
図５は、綴じ具５を綴じたファイル１の略示部分拡大断面図である。図５に示すように、第一半リング１２及び第二半リング２２はリング３０を構成し、第一連結体１４及び第二連結体２４は連結体３１を構成し、第一支持部１３及び第二支持部２３は回転部３２を構成する。枢軸８の中心と、連結体及びリング３０の連結箇所との間の寸法を第一寸法Ａとし、背表紙２に対する枢軸８からの垂線と、背表紙２の右縁部２ａとの間の寸法を第二寸法Ｂとすると、第一寸法Ａは第二寸法Ｂ以上である。
【００２３】
また連結体の短辺方向に沿う連結体の延長線を延長線Ｃとすると、連結体及び延長線Ｃよりもベース板６側に位置するリング３０の部分の径方向幅Ｄは、連結体及び延長線Ｃよりもベース板６の反対側に位置するリング３０の部分の径方向幅Ｅよりも短い。即ち、径方向幅Ｅは径方向幅Ｄよりも長い。
【００２４】
リング３０がベース板６側に回転した場合、連結体はベース板６に接触するので、ベース板６によって回転が規制される。一方、リング３０がベース板６の反対側、即ち、裏表紙４側に回転した場合に、リング３０は裏表紙４に接触するまで回転することができる。裏表紙４側へのリング３０の回転範囲は、ベース板６側への回転範囲よりも大きい。
【００２５】
図６は、表表紙３及び裏表紙４を反対側に折り返し、リング３０をベース板６の反対側に回転させたファイル１を略示する部分拡大断面図である。リング３０をベース板６の反対側に、即ち裏表紙４側に回転させた場合、第一寸法Ａは第二寸法Ｂ以上なので、リング３０は背表紙２を超えて、裏表紙４に接近することができる。そのため、リング３０に綴じられたリーフはリング３０に引っ張られにくくなり、リーフの撓みを抑制することができる。
【００２６】
また径方向幅Ｅは径方向幅Ｄよりも長いので、連結体を基準にした場合におけるリング３０の突出した部分が裏表紙４の上側に配置される。そのため、リング３０に綴じられたリーフは更にリング３０に引っ張られにくくなる。
【００２７】
なおベース板６の左辺部を背表紙２の左縁部に近接させ、背表紙２に対する枢軸８からの垂線と、背表紙２の左縁部との間の寸法を第二寸法Ｂ′とし、第一寸法Ａを第二寸法Ｂ′以上としてもよい。この場合、ベース板６の反対側は表表紙３側になり、表表紙３側へのリング３０の回転範囲は、ベース板６側への回転範囲よりも大きくなる。
【００２８】
（実施の形態２）
以下本発明を実施の形態２に係るファイル１を示す図面に基づいて説明する。図７は、綴じ具５を綴じたファイル１の略示部分拡大断面図、図８は、図７に示す８Ａ−８Ａ′線及び８Ｂ−８Ｂ′線を切断線とした略示断面図である。実施の形態２においては、連結体３１ａ及び延長線Ｃ′を基準にした場合、実施の形態１と異なり、連結体３１ａ及び延長線Ｃ′の右側及び左側にて、リング３０の各部分の径方向幅は略同じである。なお実施の形態１と同様に、実施の形態２においても、第一寸法Ａは第二寸法Ｂ以上である。
【００２９】
図８Ａは、８Ａ−８Ａ′線を切断線とした断面図であり、図８Ｂは、８Ｂ−８Ｂ′線を切断線とした断面図である。図８Ａ及び図８Ｂに示すように、第一半リング１２の外周面全体に平坦面１２ｂが形成され、第二半リング２２の外周面全体に平坦面２２ｂが形成されている。なお第一半リング１２の外周面に部分的に平坦面１２ｂを形成し、第二半リング２２の外周面に部分的に平坦面２２ｂを形成してもよい。
【００３０】
第一半リング１２及び第二半リング２２の外周面を平坦にすることによって、リング３０が細くなり、意匠性を向上させることができる。リング３０を貫通孔３ａ、４ａに挿入させた場合、平坦面１２ｂ、２２ｂが貫通孔３ａ、４ａから突出する。平坦面１２ｂ、２２ｂによって、貫通孔３ａ、４ａからのリング３０の突出幅を短くさせることができる。
【００３１】
第一半リング１２及び第二半リング２２の内周面に平坦面を形成した場合には、リング３０に綴じられたリーフが平坦面の端にて擦れ、リーフが損傷するおそれがある。上述のように、第一半リング１２及び第二半リング２２の外周面に平坦面１２ｂ、２２ｂを形成することによって、リーフが損傷することを防止することができる。なお、実施の形態１においても、実施の形態２と同様に、第一半リング１２及び第二半リング２２の外周面に平坦面１２ｂ、２２ｂを形成してもよい。
【００３２】
実施の形態２に係るファイル１の構成の内、実施の形態１と同様な構成については同じ符号を付し、その詳細な説明を省略する。
【００３３】
（実施の形態３）
以下本発明を実施の形態３に係るファイル１を示す図面に基づいて説明する。図９は、綴じ具５を綴じたファイル１の略示部分拡大断面図である。実施の形態３のリング３０ａは、実施の形態２に係るリング３０と異なり、左右方向に延びた長円形をなす。連結体３１ａ及び延長線Ｃ′′を基準にした場合、連結体３１ａ及び延長線Ｃ′′よりも右側におけるリング３０ａの部分の径方向寸法が、連結体３１ａ及び延長線Ｃ′′よりも左側におけるリング３０ａの部分の径方向寸法よりも長い。なお、実施の形態３においても、実施の形態２と同様に、第一半リング及び第二半リングの外周面に平坦面を形成してもよい。
【００３４】
実施の形態３に係るファイル１の構成の内、実施の形態１又は２と同様な構成については同じ符号を付し、その詳細な説明を省略する。
【００３５】
以下本発明を実施の形態４に係るファイル１を示す図面に基づいて説明する。図１０は、綴じ具５を綴じたファイル１の略示部分拡大断面図である。実施の形態４のリング３０ｂは、実施の形態１〜３に係るリング３０、３０ａとは異なり、リング３０ｂの対向する二箇所が平坦に形成されている。リング３０ｂを貫通孔３ａ、４ａに挿入させた場合、リング３０ｂの平坦な部分が貫通孔３ａ、４ａから突出する。なお、実施の形態４においても、実施の形態２と同様に、第一半リング及び第二半リングの外周面に平坦面を形成してもよい。
【００３６】
実施の形態４に係るファイル１の構成の内、実施の形態１〜３と同様な構成については同じ符号を付し、その詳細な説明を省略する。
【００３７】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００３８】
２  背表紙
３  表表紙
４  裏表紙
６  ベース板
８  枢軸
１２  第一半リング
１３  第一支持部
１４  第一連結体
２２  第二半リング
２３  第二支持部
２４  第二連結体
３０  リング
３１  連結体
３２  回転部
【図１】
2020023134.tif 000003
【図２】
2020023134.tif 000004
【図３】
2020023134.tif 000005
【図４】
2020023134.tif 000006
【図５】
2020023134.tif 000007
【図６】
2020023134.tif 000008
【図７】
2020023134.tif 000009
【図８】
2020023134.tif 000010
【図９】
2020023134.tif 000011
【図１０】
2020023134.tif 000012